(57)【要約】    【課題】  包装袋の置き方にかかわらず開孔部が床面に接することなく、包装袋の内部への水の浸透を確実に防止することができる米穀用包装袋を提供する。    【解決手段】  通気領域６を、長辺３の長さＬに対し短辺４の一端４Ａ，他端４Ｂから１０％以内の領域を除いて設けた。また、通気領域６は、短辺４の長さＭに対し長辺３の一端３Ａから２０％以内の領域に設けた。米穀用包装袋１の置き方にかかわらず通気領域６が床面に接することなく、米穀用包装袋１の内部への水の浸透を確実に防止することができる。【選択図】  図１
2006117278.tif 000002
【特許請求の範囲】
【請求項１】
プラスチックフィルムからなり長辺と短辺とを有する略長方形の米穀用包装袋であって、前記短辺の近傍を除く前記長辺の近傍の側縁部に通気領域を設けたことを特徴とする米穀用包装袋。
【請求項２】
前記通気領域は、前記長辺の長さに対し前記短辺の端部から１０％以内の領域を除いて設けられたことを特徴とする請求項１記載の米穀用包装袋。
【請求項３】
前記通気領域は、前記短辺の長さに対し前記長辺の端部から２０％以内の領域に設けられたことを特徴とする請求項１又は２記載の米穀用包装袋。
【請求項４】
前記通気領域は、片面にのみ設けられたことを特徴とする請求項１〜３のいずれか１項記載の米穀用包装袋。
【請求項５】
前記通気領域は、孔径１００μｍ未満の複数の開口孔からなることを特徴とする請求項１〜４のいずれか１項記載の米穀用包装袋。
【発明の詳細な説明】
【技術分野】
【０００１】
本発明は、米等の穀類を収容するための米穀用包装袋に関する。
【背景技術】
【０００２】
従来、米穀店では例えば１０ｋｇごとに精米した米を、合成樹脂フィルムの縁部を貼り合せた包装袋に収容して家庭等に配達している。このような包装袋においては、輸送、保管等のために米を収容、密封する際に、内部に多量の空気が残り、包装袋を積み重ねた際にかさ張るとともに、積み重ねた包装袋が不安定となるといった問題があった。
【０００３】
このような問題を解決するため、例えば、特許文献１には包装袋を構成するフィルム材に通気用の平行する多数切れ目を形成し、この切れ目を相互にずらして形成した通気性包装袋が提案されている。
【０００４】
また、特許文献２には、包装袋を構成するプラスチックフィルムに複数の微細な開孔部を設けた米穀類用包装袋が提案されている。
【特許文献１】実開昭６１−６９０４３号公報
【特許文献２】特開平１１−７０６１９号公報
【発明の開示】
【発明が解決しようとする課題】
【０００５】
しかしながら、特許文献１に開示された包装袋は、フィルム材に形成した多数の切れ目によって包装袋の内外の通気が可能であるが、切れ目がフィルム材に直接的に形成されているので、この切れ目部分においてフィルム材の引っ張り強度が低下してしまう。このため、運搬時に包装袋を投げたりあるいは保管時などにおいて包装袋を積み上げたりした際に、切れ目部分に応力が加わると、切れ目が裂けて内部に収容された米が抜け出すおそれがあった。また、たとえ切れ目が裂けなくても、切れ目部分に加わった応力により切れ目が広くなり、この切れ目から埃や細かな塵などが直接入り込みやすくなるという問題があった。
【０００６】
この点に関し、特許文献２に開示された包装袋は、微細な開孔部により通気する構造であり、脱気性能に優れるとともに、包装袋の強度の低下も抑制しうるものである。また、開孔部も微細であるから蟻やコクゾウムシなどの害虫等の侵入も抑制できる構造となっている。
【０００７】
しかし、特許文献２に開示された包装袋は、包装袋の両面に開孔部が設けられているので、包装袋を床面に寝かせた状態で載置した際には開孔部が床面と接し、床面が水で濡れていたり床面に細かな埃があったりした場合には、開孔部から水が浸透したり埃が侵入したりするおそれがあった。特に、床面が水で濡れていた場合には、毛細管現象によって、包装袋の内部に水分が浸透しやすいという問題があった。
【０００８】
また、レストランなどの厨房においては、米の収容された包装袋を置くスペースを節約するために、包装袋の短辺を床面に接するようにして、包装袋を立てた状態で床面に載置することが多い。この場合は、包装袋の短辺の近傍に設けられた開孔部が床面と接し、床面が水で濡れていた場合には、開孔部から水が浸透するおそれがあった。
【０００９】
そして、このように開孔部から水が浸透した場合には、開孔部付近にカビが発生するおそれがあった。
【００１０】
そこで、本発明は、上記問題に鑑み、包装袋の置き方にかかわらず開孔部が床面に接することなく、包装袋の内部への水の浸透を確実に防止することができる米穀用包装袋を提供することを目的とする。
【課題を解決するための手段】
【００１１】
本発明の請求項１記載の米穀用包装袋は、プラスチックフィルムからなり長辺と短辺とを有する略長方形の米穀用包装袋であって、前記短辺の近傍を除く前記長辺の近傍の側縁部に通気領域を設けたことを特徴とする。
【００１２】
本発明の請求項２記載の米穀用包装袋は、請求項１において、前記通気領域は、前記長辺の長さに対し前記短辺の端部から１０％以内の領域を除いて設けられたことを特徴とする。
【００１３】
本発明の請求項３記載の米穀用包装袋は、請求項１又は２において、前記通気領域は、前記短辺の長さに対し前記長辺の端部から２０％以内の領域に設けられたことを特徴とする。
【００１４】
本発明の請求項４記載の米穀用包装袋は、請求項１〜３のいずれか１項において、前記通気領域は、片面にのみ設けられたことを特徴とする。
【００１５】
本発明の請求項５記載の米穀用包装袋は、請求項１〜４のいずれか１項において、前記通気領域は、孔径１００μｍ未満の複数の開口孔からなることを特徴とする。
【発明の効果】
【００１６】
本発明の請求項１記載の米穀用包装袋によれば、米穀用包装袋の置き方にかかわらず通気領域が床面に接することなく、米穀用包装袋の内部への水の浸透を確実に防止することができる。
【００１７】
本発明の請求項２記載の米穀用包装袋によれば、米穀用包装袋の短辺を床面に接するようにして、米穀用包装袋を立てた状態で床面に載置した場合において、通気領域が床面に接することなく、米穀用包装袋の内部への水の浸透を確実に防止することができる。
【００１８】
本発明の請求項３記載の米穀用包装袋によれば、米穀用包装袋を床面に寝かせた状態で載置した場合において、通気領域が床面に接することなく、米穀用包装袋の内部への水の浸透を確実に防止することができる。
【００１９】
本発明の請求項４記載の米穀用包装袋によれば、通気領域を上方に向けて床面に載置することで、通気領域が床面に接することなく、米穀用包装袋の内部への水の浸透を確実に防止することができる。
【００２０】
本発明の請求項５記載の米穀用包装袋によれば、通気領域において脱気性能に優れるとともに、強度が低下することなく米穀用包装袋の破袋を確実に防止することができる。また、米穀用包装袋の内部に水分や微細な埃が侵入することを確実に防止することができる。
【発明を実施するための最良の形態】
【００２１】
以下、本発明の実施例について、図面を参照しながら説明する。
【実施例１】
【００２２】
本発明の実施例１を示す図１、図２において、１はプラスチックフィルム２からなる米穀用包装袋であり、長辺３及び短辺４を有する略長方形の平面形状を有している。この米穀用包装袋１は、チューブ状に形成されたプラスチックフィルム２の短辺４の一端４Ａをヒートシールして袋状に貼り合せて形成されている。米穀用包装袋１を構成するプラスチックフィルム２としては、ヒートシールによる熱溶着によって製袋することから、熱により溶融して相互に熱融着し得る性質を有するポリオレフィンなどから形成された樹脂フィルムが使用されている。
【００２３】
なお、米穀用包装袋１は、図１においては、短辺４の一端４Ａのみをヒートシールすることによって封止部１Ａを形成した包装袋１を図示しており、短辺４の他端４Ｂは開口した状態となっているが、この開口した部分から被収容物Ａとして米などを収容した後、短辺４の他端４Ｂをヒートシールするようになっている。
【００２４】
米穀用包装袋１の片面において、短辺４の近傍を除く長辺３の近傍の側縁部には、孔径１００μｍ未満、好ましくは５０μｍ以上１００μｍ未満の開口孔５が形成され、これら開口孔５によって帯状の通気領域６が形成されている。ここで、開口孔５の孔径を１００μｍ未満とすることによって、米穀用包装袋１の内部に水分や微細な埃が侵入することを確実に防止できるようになっている。また、開口孔５の孔径を５０μｍ以上とすることによって、良好な通気性が得られるようになっている。
【００２５】
また、通気領域６は、長辺３の長さＬに対し短辺４の端部である一端４Ａ，他端４Ｂから１０％以内の領域を除いて設けられている。すなわち、短辺４の一端４Ａ，他端４Ｂと通気領域６の開口孔５の最小距離をそれぞれＸ，Ｘ’とすると、Ｘ／Ｌ≧０．１，Ｘ’／Ｌ≧０．１の式を満たす領域に通気領域６が形成されている。
【００２６】
さらに、通気領域６は、短辺４の長さＭに対し長辺３の端部である一端３Ａから２０％以内の領域にのみ設けられている。すなわち、長辺３の一端３Ａと通気領域６の開口孔５の最大距離をＹとすると、Ｙ／Ｍ≦０．２の式を満たす領域に通気領域６が形成されている。
【００２７】
なお、図１に示すように、本実施例において、通気領域６は米穀用包装袋１の長辺３の一端３Ａ側にのみ形成されているが、他端３Ｂ側のみに形成してもよく、あるいは、一端３Ａ側と他端３Ｂ側の両方に形成してもよい。
【００２８】
つぎに、米穀用包装袋１の製造方法について説明する。はじめに、プラスチックフィルム２を連続したチューブ状に成形する。なお、プラスチックフィルム２を連続したチューブ状に成形する方法としては、インフレーション法、或いは、ガイド機構により熱融着可能なフィルムを二つ折に折り畳んでその重なり部を加熱によりシールすることで連続したチューブ状に成形する方法、その他の公知の方法を適宜に選択可能である。
【００２９】
つぎに、チューブ状に成形されたプラスチックフィルム２に、レ−ザ照射または多数の針部材からなる金属製治具を用いた方法、或いはその他の公知の方法によって、孔径５０μｍ以上１００μｍ未満の開口孔５を多数形成することで、通気領域６を形成する。その後、プラスチックフィルム２を、通気領域６が長辺３の一端３Ａ側に位置させてから長辺３の長さＬに切断する。
【００３０】
なお、通気領域６を形成する際には、切断後に通気領域６が長辺３の長さＬに対し短辺４の端部である一端４Ａ，他端４Ｂから１０％以内の領域に位置しないように、通気領域６を所定の長さ（Ｌ−（Ｘ＋Ｘ’））で一定の間隔（Ｘ＋Ｘ’）をおいて形成する。また、短辺４の長さＭに対し長辺３の端部である一端３Ａから２０％以内の領域にのみに位置するように、通気領域６を所定の幅Ｙで形成する。また、米穀用包装袋１の片面にのみ、通気領域６が形成されるように、通気領域６に位置を調整する。
【００３１】
最後に、短辺４の一端４Ａをヒートシールして、短辺４の他端４Ｂが開口した米穀用包装袋１を形成する。
【００３２】
米穀用包装袋１を使用する場合は、米穀用包装袋１の開口した短辺４の他端４Ｂから、米などの被収容物Ａを収容し、短辺４の他端４Ｂをヒートシールする。
【００３３】
つぎに作用を説明する。被収容物Ａを収容した米穀用包装袋１を積み重ねた場合には、通気領域６から米穀用包装袋１内の空気が抜けるため、米穀用包装袋１内の空気による膨らみによって米穀用包装袋１がかさ張ったり、積み重ねた米穀用包装袋１が不安定となったりするおそれがない。また、孔径５０μｍ以上１００μｍ未満の微細な開口孔５により通気領域６が形成されているので、脱気性能に優れるとともに、通気領域６を形成したことにより米穀用包装袋１の強度が低下することなく包装袋の破袋を確実に防止することができる。さらに、蟻やコクゾウムシなどの害虫等の侵入を確実に防止し、米穀用包装袋の内部に水分や微細な埃が侵入することを確実に防止することができる。
【００３４】
被収容物Ａを収容した米穀用包装袋１を床面に寝かせた状態で載置した際には、床面が水で濡れていた場合であっても、通気領域６は米穀用包装袋１の片面にのみ設けられており、通気領域６を上方に向けて床面に載置することで、通気領域６が床面に接することなく、包装袋の内部への水の浸透を確実に防止することができる。また、通気領域６を下方に向けて床面に載置した場合であっても、米穀用包装袋１が被収容物Ａを収容して膨らんでいることによって、短辺４の長さＭに対し長辺３の一端３Ａから２０％以内の領域に設けられた通気領域６に形成された開口孔５が床面に接することなく、包装袋の内部への水の浸透を確実に防止することができる。
【００３５】
また、被収容物Ａを収容した米穀用包装袋１の短辺４を床面に接するようにして、米穀用包装袋１を立てた状態で床面に載置した際には、床面が水で濡れていた場合であっても、通気領域６が長辺３の長さＬに対し短辺３の一端３Ａ，他端３Ｂから１０％以内の領域を除いて設けられていることで、開口孔５が床面に接することなく、包装袋の内部への水の浸透を確実に防止することができる。
【００３６】
このように、米穀用包装袋の置き方にかかわらず通気領域６の開口孔５が床面に接することなく、包装袋の内部への水の浸透を確実に防止することができる。
【００３７】
なお、本実施例において、通気領域６は長辺３の長さＬに対し短辺４の一端４Ａ，他端４Ｂから１０％以内の領域を除いて設けられているが、要は、被収容物Ａを収容した米穀用包装袋１の短辺４を床面に接するようにして米穀用包装袋１を立てた状態で載置した際に開口孔５が床面に接しないようになっていればよく、例えば、通気領域６を長辺３の長さＬに対し短辺４の一端４Ａ，他端４Ｂから、５％以内の領域を除いて設けるようにしてもよい。
【００３８】
以上のように、本実施例の米穀用包装袋１によれば、プラスチックフィルム２からなり長辺３と短辺４とを有する米穀用包装袋であって、前記短辺４の近傍を除く前記長辺３の近傍の側縁部に通気領域６を設けものであり、米穀用包装袋１の置き方にかかわらず通気領域６が床面に接することなく、米穀用包装袋１の内部への水の浸透を確実に防止することができる。
【００３９】
また、前記通気領域６は、前記長辺３の長さＬに対し前記短辺４の端部たる一端４Ａ，他端４Ｂから１０％以内の領域を除いて設けられたものであり、米穀用包装袋１の短辺４を床面に接するようにして、米穀用包装袋１を立てた状態で床面に載置した場合において、通気領域６が床面に接することなく、米効用包装袋１の内部への水の浸透を確実に防止することができる。
【００４０】
また、前記通気領域６は、前記短辺４の長さＭに対し前記長辺３の端部たる一端３Ａから２０％以内の領域に設けられたものであり、米穀用包装袋１を床面に寝かせた状態で載置した場合において、通気領域６が床面に接することなく、米穀用包装袋１の内部への水の浸透を確実に防止することができる。
【００４１】
また、前記通気領域６は、片面にのみ設けられたものであり、通気領域６を上方に向けて床面に載置することで、通気領域６が床面に接することなく、米穀用包装袋１の内部への水の浸透を確実に防止することができる。
【００４２】
また、前記通気領域６は、孔径１００μｍ未満の複数の開口孔５からなるものであり、通気領域６において脱気性能に優れるとともに、強度が低下することなく米穀用包装袋１の破袋を確実に防止することができる。また、米穀用包装袋１の内部に水分や微細な埃が侵入することを確実に防止することができる。
【実施例２】
【００４３】
つぎに、図３に基づき、本発明の実施例２について説明する。なお、上記実施例１と共通の部分には同じ符号を付し、その詳細な説明を省略する。本実施例では、長辺３の一端３Ａ側に加えて、他端３Ｂ側にも通気領域６’が設けられている。
【００４４】
通気領域６’は、通気領域６と同様に、長辺３の長さＬに対し短辺４の端部である一端４Ａ，他端４Ｂから１０％以内の領域を除いて設けられ、短辺４の長さＭに対し長辺３の端部である一端３Ａから２０％以内の領域にのみ設けられている。すなわち、長辺３の一端３Ｂと通気領域６’の開口孔５の最大距離をＹ’とすると、Ｙ’／Ｍ≦０．２の式を満たす領域に通気領域６’が形成されている。
【００４５】
なお、本実施例においても実施例１と同様に、被収容物Ａを収容した米穀用包装袋１の短辺４を床面に接するようにして米穀用包装袋１を立てた状態で載置した際に開口孔５が床面に接しないようになっていればよく、例えば、通気領域６，６’を長辺３の長さＬに対し短辺４の一端４Ａ，他端４Ｂから、５％以内の領域を除いて設けるようにしてもよい。
【００４６】
以上のように、本実施例の米穀用包装袋１によれば、プラスチックフィルム２からなり長辺３と短辺４とを有する米穀用包装袋であって、前記短辺４の近傍を除く前記長辺３の近傍の側縁部に通気領域６，６’を設けものであり、米穀用包装袋１の置き方にかかわらず通気領域６，６’が床面に接することなく、米穀用包装袋１の内部への水の浸透を確実に防止することができる。
【００４７】
また、前記通気領域６，６’は、前記長辺３の長さＬに対し前記短辺４の端部たる一端４Ａ，他端４Ｂから１０％以内の領域を除いて設けられたものであり、米穀用包装袋１の短辺４を床面に接するようにして、米穀用包装袋１を立てた状態で床面に載置した場合において、通気領域６，６’が床面に接することなく、米効用包装袋１の内部への水の浸透を確実に防止することができる。
【００４８】
また、前記通気領域６，６’は、前記短辺４の長さＭに対し前記長辺３の端部たる一端３Ａ，他端３Ｂからそれぞれ２０％以内の領域に設けられたものであり、米穀用包装袋１を床面に寝かせた状態で載置した場合において、通気領域６，６’が床面に接することなく、米穀用包装袋１の内部への水の浸透を確実に防止することができる。
【００４９】
また、前記通気領域６，６’は、片面にのみ設けられたものであり、通気領域６，６’を上方に向けて床面に載置することで、通気領域６，６’が床面に接することなく、米穀用包装袋１の内部への水の浸透を確実に防止することができる。
【００５０】
また、前記通気領域６，６’は、孔径１００μｍ未満の複数の開口孔５からなるものであり、通気領域６，６’において脱気性能に優れるとともに、強度が低下することなく米穀用包装袋１の破袋を確実に防止することができる。また、米穀用包装袋１の内部に水分や微細な埃が侵入することを確実に防止することができる。
【実施例３】
【００５１】
つぎに、図４に基づき、本発明の実施例３について説明する。本実施例においては、通気領域６，６’を不連続に形成したものである。すなわち、米穀用包装袋１の長辺３の方向において、一定の間隔Ｎで通気領域６，６’を設けない領域を形成したものである。
【００５２】
この場合、通気領域６，６’の面積が小さくでき、製造時において開口孔５の形成に要する手間や時間を大幅に省力化できる。その他の作用，効果は、上記各実施例と同様である。
【実施例４】
【００５３】
つぎに、図５に基づき、本発明の実施例３について説明する。本実施例においては、通気領域６，６’を、それぞれ１列に並べて配置した複数の開口孔５により形成したものである。
【００５４】
この場合、通気領域６，６’の開口孔５の数がかなり少なくなっているため、上記各実施例に比べると通気性が劣るが、製造時において開口孔５の形成に要する手間や時間を大幅に省力化できる。その他の作用，効果は、上記各実施例と同様である。
【００５５】
以上、本発明の実施例について詳述したが、本発明は上記各実施例に限定されるものではなく、本発明の要旨の範囲内で種々の変形実施が可能である。例えば、通気領域の位置、長さや幅、形状は適宜変形してもよい。また、通気領域を米穀用包装袋の片面のみではなく、両面に設けてもよい。
【図面の簡単な説明】
【００５６】
【図１】本発明の実施例１を示す米穀用包装袋の正面図である。
【図２】同上米穀用包装袋の断面図である。
【図３】本発明の実施例２を示す米穀用包装袋の正面図である。
【図４】本発明の実施例３を示す米穀用包装袋の正面図である。
【図５】本発明の実施例４を示す米穀用包装袋の正面図である。
【符号の説明】
【００５７】
１  米穀用包装袋
２  プラスチックフィルム
３  長辺
３Ａ  一端（端部）
３Ｂ  他端（端部）
４  短辺
４Ａ  一端（端部）
４Ｂ  他端（端部）
５  開口孔
６，６’  通気領域
Ｌ  長さ
Ｍ  長さ
【図１】
2006117278.tif 000003
【図２】
2006117278.tif 000004
【図３】
2006117278.tif 000005
【図４】
2006117278.tif 000006
【図５】
2006117278.tif 000007